(57)【要約】【課題】ＣＤＭＡ信号のビット誤りを時系列的に評価する。【解決手段】被測定信号ａからフレーム同期がとれたチップデータを作成し、作成したチップデータをチャネル毎の拡散ファクター９に対応する拡散コード８で逆拡散して各チャネルのシンボルデータとして出力する入力処理部１４と、この入力処理された１フレーム分の各チャネルのシンボルデータを用いて、各チャネルのシンボルデータのビット誤りを順次検出していくビット誤り検出部３４と、１フレーム分のビット誤りを用いて、各チャネルのビット誤り値をスロット単位で順次算出していくビット誤り値算出部３６とを設けて、算出された１フレーム分の時系列的なスロット単位のビット誤り値をビット誤り値特性５４として表示器５０にグラフィック表示する。【選択図】図１
2006311256.tif 000002
【特許請求の範囲】
【請求項１】
入力された被測定信号である１フレームが複数スロット（１０）で構成されたＣＤＭＡ信号の各拡散ファクターの各チャネルにおける信号を解析するＣＤＭＡ信号解析装置において、
前記入力された被測定信号からフレーム同期がとれたチップデータを作成し、作成したチップデータをチャネル毎の拡散ファクターに対応する拡散コードで逆拡散して各チャネルのシンボルデータとして出力する入力処理部（１４）と、
この入力処理部から順次出力される各チャネルのシンボルデータにおける１フレーム分の各チャネルのシンボルデータを順次記憶していく１フレームシンボルデータメモリ（２５）と、
この１フレームシンボルデータメモリから読出した１フレーム分の各チャネルのシンボルデータを用いて、各チャネルのシンボルデータのビット誤りを順次検出していくビット誤り検出部（３４）と、
このビット誤り検出部から順次出力される１フレーム分のビット誤りを用いて、各チャネルのビット誤り値をスロット単位で順次算出していくビット誤り値算出部（３６、３７）と、
このビット誤り値算出部で算出された１フレーム分の時系列的なスロット単位のビット誤り値をビット誤り値特性（５４、５５）として表示器（５０）にグラフィック表示するビット誤り値特性表示手段と
を備えたことを特徴とするＣＤＭＡ信号解析装置。
【請求項２】
前記ビット誤り値特性表示手段は、前記ビット誤り値特性を、ビット誤り値、スロットＮｏで示される時間、及びチャネルＮｏをそれぞれ直交する各軸に割り当てて、３次元表示（５６）することを特徴とする請求項１記載のＣＤＭＡ信号解析装置。
【請求項３】
前記１フレームシンボルデータメモリから読出した１フレーム分の各チャネルのシンボルデータを用いて、各チャネルのコード・ドメインパワーをスロット単位で順次算出していくコード・ドメインパワー算出部（２６）と、
このコード・ドメインパワー算出部で算出された１フレーム分の時系列的なスロット単位のコード・ドメインパワーをコード・ドメインパワー特性（５３）として、前記表示器に対して前記ビット誤り値特性（５４、５５）と同時にグラフィック表示するコード・ドメインパワー特性表示手段と
を備えたことを特徴とする請求項１記載のＣＤＭＡ信号解析装置。
【請求項４】
前記ビット誤り値特性表示手段は、前記ビット誤り値特性を、ビット誤り値、スロットＮｏで示される時間、及びチャネルＮｏをそれぞれ直交する各軸に割り当てて、３次元表示（５６）するとともに、ビット誤り値が割り当てられた軸と同じ軸にコード・ドメインパワーを割り当てて表示することを特徴とする請求項３記載のＣＤＭＡ信号解析装置。
【請求項５】
前記ビット誤り検出部でビット誤り検出されたシンボルデータのコンスタレーション（３１）のシンボル点（３２）の種別（３９ａ、３９ｂ、３９ｃ）を、各フレームにおけるスロット単位で集計するビット誤りシンボル点集計手段と、
このビット誤りシンボル点集計手段で集計されたビット誤りシンボル点の各種別の数を、前記ビット誤り値特性（５４、５５）の各スロットのビット誤り値の内訳としてグラフィック表示するビット誤り種別表示手段と
を備えたことを特徴とする請求項１記載のＣＤＭＡ信号解析装置。
【請求項６】
前記ビット誤り値特性表示手段は、各フレームの各チャネルをビット誤り値の大きさで区分する色分け又は模様によって比較可能に表示するとともに、各フレームを時系列的に順次表示することを特徴とする請求項３記載のＣＤＭＡ信号解析装置。
【請求項７】
前記ビット誤り値特性表示手段は、前記比較可能に表示される各チャネルに対応するコード・ドメインパワーをそのチャネルに隣接して表示することを特徴とする請求項６記載のＣＤＭＡ信号解析装置。
【請求項８】
入力された被測定信号を構成する複数のフレームを表示するフレーム表示手段と、
その複数のフレームのうち解析対象とする所望のフレームを指定するフレーム指定手段と
を備えたことを特徴とする請求項１記載のＣＤＭＡ信号解析装置。
【請求項９】
入力された被測定信号である１フレームが複数スロット（１０）で構成されたＣＤＭＡ信号の各拡散ファクターの各チャネルにおける信号を解析するＣＤＭＡ信号解析装置において、
前記入力された被測定信号からフレーム同期がとれたチップデータを作成し、作成したチップデータをチャネル毎の拡散ファクターに対応する拡散コードで逆拡散して各チャネルのシンボルデータとして出力する入力処理部（１４）と、
この入力処理部から順次出力される各チャネルのシンボルデータにおける１フレーム分の各チャネルのシンボルデータを順次記憶していく１フレームシンボルデータメモリ（２５）と、
この１フレームシンボルデータメモリから読出した１フレーム分の各チャネルのシンボルデータを用いて、各チャネルのシンボルデータのビット誤りを順次検出していくビット誤り検出部（３４）と、
このビット誤り検出部から順次出力される１フレーム分のビット誤りを用いて、各スロットを構成する複数シンボルデータにおけるビット誤り値をシンボルデータ単位で順次算出していくビット誤り値算出部（３６、３７）と、
このビット誤り値算出部で算出された１スロット分の時系列的なシンボルデータ単位のビット誤り値をビット誤り値特性（５４、５５）として表示器（５０）にグラフィック表示するビット誤り値特性表示手段と
を備えたことを特徴とするＣＤＭＡ信号解析装置。
【請求項１０】
前記ビット誤り値特性表示手段は、前記ビット誤り値特性を、ビット誤り値、シンボルデータで示される時間、及びチャネルＮｏをそれぞれ直交する各軸に割り当てて、３次元表示（５６）することを特徴とする請求項９記載のＣＤＭＡ信号解析装置。
【請求項１１】
前記１フレームシンボルデータメモリから読出した１フレーム分の各チャネルのシンボルデータを用いて、各チャネルのコード・ドメインパワーをシンボルデータ単位で順次算出していくコード・ドメインパワー算出部（２６）と、
このコード・ドメインパワー算出部で算出された１スロット分の時系列的なシンボルデータ単位のコード・ドメインパワーをコード・ドメインパワー特性（５３）として、前記表示器に対して前記ビット誤り値特性（５４、５５）と同時にグラフィック表示するコード・ドメインパワー特性表示手段と
を備えたことを特徴とする請求項９記載のＣＤＭＡ信号解析装置。
【請求項１２】
前記ビット誤り値特性表示手段は、前記ビット誤り値特性を、ビット誤り値、シンボルデータで示される時間、及びチャネルＮｏをそれぞれ直交する各軸に割り当てて、３次元表示（５６）するとともに、ビット誤り値が割り当てられた軸と同じ軸にコード・ドメインパワーを割り当てて表示することを特徴とする請求項１１記載のＣＤＭＡ信号解析装置。
【請求項１３】
前記ビット誤り検出部でビット誤り検出されたシンボルデータのコンスタレーション（３１）のシンボル点（３２）の種別（３９ａ、３９ｂ、３９ｃ）を、各スロットを構成する複数シンボルデータにおけるシンボルデータ単位で集計するビット誤りシンボル点集計手段と、
このビット誤りシンボル点集計手段で集計されたビット誤りシンボル点の各種別の数を、前記ビット誤り値特性（５４、５５）の各シンボルデータのビット誤り値の内訳としてグラフィック表示するビット誤り種別表示手段と
を備えたことを特徴とする請求項９記載のＣＤＭＡ信号解析装置。
【請求項１４】
前記ビット誤り値特性表示手段は、各フレームの各チャネルをビット誤り値の大きさで区分する色分け又は模様によって比較可能に表示するとともに、各スロットを時系列的に順次表示することを特徴とする請求項１１記載のＣＤＭＡ信号解析装置。
【請求項１５】
前記ビット誤り値特性表示手段は、前記比較可能に表示される各チャネルに対応するコード・ドメインパワーをそのチャネルに隣接して表示することを特徴とする請求項１４記載のＣＤＭＡ信号解析装置。
【請求項１６】
入力された被測定信号の１フレームを構成する複数スロットを表示するスロット表示手段と、
その複数スロットのうち解析対象とする所望のスロットを指定するスロット指定手段と
を備えたことを特徴とする請求項９記載のＣＤＭＡ信号解析装置。
【請求項１７】
前記１フレームシンボルデータメモリから読出した１フレーム分の各チャネルのシンボルデータを用いて、各チャネルの変調方式を判定する変調方式判定部（３０）と、
この変調方式判定部で判定された各チャネルの変調方式を前記表示器に表示する変調方式表示手段と
を備えたことを特徴とする請求項１又は９記載のＣＤＭＡ信号解析装置。
【請求項１８】
前記コンスタレーションのシンボル点の種別は、前記コンスタレーションのＩＱ座標における前記シンボル点の座標原点からの距離の種別であることを特徴とする請求項５又は１３記載のＣＤＭＡ信号解析装置。
【請求項１９】
前記算出されたビット誤り率又はビット誤り数が予め設定された許容値を超えたとき、又はコード・ドメインパワーが予め設定された許容範囲を外れたとき、表示を停止して、その停止した表示を保持する表示制御部（４９）を備えたことを特徴とする請求項３又は１１記載のＣＤＭＡ信号解析装置。
【請求項２０】
前記ビット誤り値はビット誤り率であり、前記ビット誤り値算出部はビット誤り率を算出するビット誤り率算出部（３６）であることを特徴とする請求項１から１９のいずれか１項記載のＣＤＭＡ信号解析装置。
【請求項２１】
前記ビット誤り値はビット誤り数であり、前記ビット誤り値算出部はビット誤り数を算出するビット誤り数算出部（３７）であることを特徴とする請求項１から１９のいずれか１項記載のＣＤＭＡ信号解析装置。
【発明の詳細な説明】
【技術分野】
【０００１】
本発明は入力された被測定信号であるＣＤＭＡ信号の各拡散ファクターの各チャネルにおける信号を解析するＣＤＭＡ信号解析装置に関する。
【背景技術】
【０００２】
第３世代の移動通信システムにおける無線通信方式の一つとして、Ｗ―ＣＤＭＡ（Wideband Code Division Multiple Access  広帯域符号分割多元接続）が提唱されている。この通信方式を用いる場合、基地局と移動局（携帯電話）との間で送受される信号内には、Ｗ―ＣＤＭＡの通信規格（３ＧＰＰ）に従って送受信される多数のデータが多重化されて組込まれている。
【０００３】
図１７に、Ｗ―ＣＤＭＡにおける送信側の各チャネルの送信データＤ０〜Ｄｎの多重化手法を示す。各送信データＤ０〜Ｄｎは、変調部１で例えばＱＰＳＫ等の変調方式で位相変調され、拡散部２においてそれぞれ異なる拡散コード（直交可変拡散符号）ｗ０〜ｗｎでコード拡散されたのち、加算器３で加算された後、スクランブル回路４にてスクランブルコードが乗算され、ＳＣＨ付加部５でＳＣＨ（Synchronization Channel  同期チャネル）が付加されて、３．８４ＭHzのチップ（chip）データとして高周波回路（ＲＦ）６で高周波信号に変換されてアンテナ７から電波出力される。
【０００４】
次に、拡散部２において各送信データＤ０〜Ｄｎを拡散する拡散コードの構成を図１８を用いて説明する。このＣＤＭＡ方式の拡散コードは図示するようにツリー構造に構成されており、拡散コード８の拡散コード長４、８、１６、３２、６４、１２８、２５６、５１２に応じてそれぞれ拡散ファクター（Spreading Factor）９（ＳＦ４、ＳＦ８、ＳＦ１６、ＳＦ３２、ＳＦ６４、ＳＦ１２８、ＳＦ２５６、ＳＦ５１２）が定義されている。なお、図１８においては、ＳＦ３２〜ＳＦ５１２の各拡散ファクター９は省略されている。
【０００５】
それぞれの拡散ファクター９には、所属する拡散コード８の拡散コード長分の拡散コード８が割付られている。例えば、拡散ファクターＳＦ９には、チャネルＣＨ０〜ＣＨ７のそれぞれ符号長を８で構成する合計８個の拡散コード８が一定法則に従って割付られている。
【０００６】
Ｗ―ＣＤＭＡにおいて送信側から出力されるデータの伝送速度は固定（３．８４Ｍcpsであり、１フレーム長（時間）も固定（１０ｍｓ）であるので、この１フレームに含まれるチップデータ数も一定（＝３８４００）である。したがって、送信側において、送信すべきデータの数と、データ（情報）の種類（英数データ、音声、画像ｅｔｃ）によって、採用する拡散コード８の符号長（拡散ファクター９）を選択設定する。
【０００７】
この場合、選択された拡散コード８から分岐した（枝分かれした）下位の拡散ファクター９に所属する全部の拡散コード８、及び選択された拡散コード８の上位の系列の各拡散コード８は選択禁止となる。これは、自己の拡散コード８と自己から枝分かれした下位の拡散ファクター９の拡散コード８又は自己の上位の系列の拡散コード８とが同時に選択されると、逆拡散した場合に、どの拡散コード８で拡散された送信データであるかの区別が付かないからである。
【０００８】
したがって、このツリー構造に構成された拡散コード群における拡散部２に採用可能な拡散コード８の最大数は５１２となる。
【０００９】
Ｗ―ＣＤＭＡにおける送信側の各送信データＤ０〜Ｄｎは、変調部１にて、ＱＰＳＫ（Quadrature phase shift keying ４位相偏移変調）の変調方式で変調されている。さらに、近年、このＷ―ＣＤＭＡを基礎として、パケット通信速度を上昇させた第３．５世代の移動通信システム（３．５Ｇ）のＨＳＤＰＡ（High Speed Downlink Packet Access）の規格が検討されている。このＨＳＤＰＡにおいては、各送信データＤ０〜ＤｎはＱＰＳＫの他に１６ＱＡＭ（Quadrature amplitude modulation）の変調方式が採用可能である。
【００１０】
図１９に、基地局（送信側）から各携帯端末に送信される下りのＷ―ＣＤＭＡ信号（被測定信号ａ）の伝送フォーマットを有する。例えば１０ｍｓの時間幅（チップ数＝３８４００）を有する１フレームは１５個のスロット１０で構成されている。
【００１１】
１０ｍｓ／１５＝０．６６７ｍｓの時間幅（チップ数＝３８４００／１５＝２５６０）を有する各スロット１０内には、このスロット１０の長さ一杯に、コード拡散化されかつスクランブル化された送信（チャネル）データ１２と、スロット１０の先頭位置に送信（チャネル）データ１２に加算されたＰ−ＳＣＨとＳ―ＳＣＨとからなるＳＣＨ１１とが設けられている。なお、Ｐ−ＳＣＨはスロット１０の同期に用いられる。一方、Ｓ−ＳＣＨはスクランブルコード（Scrambling Code）の同定にも使用される。
【００１２】
したがって、このようなＷ―ＣＤＭＡの無線通信方式を採用した移動通信システムおける基地局から各移動局（携帯電話）へ送信される電波のＷ―ＣＤＭＡ信号が上述した規格を満たしていることを試験する必要がある。
【００１３】
このＷ―ＣＤＭＡ信号の信号品質の１つとして「ビット誤り」がある。各移動局（携帯電話）で受信したＷ―ＣＤＭＡ信号には、図１７に示す基地局の各部１〜６において発生する雑音等に起因してビット誤り（Bit Error）が生じるとともに、基地局から各移動局へ電波伝送期間中に雑音等に起因してビット誤りが生じる。
【００１４】
この「ビット誤り」を定量的に評価する手法を説明する。基地局から既知の各送信データＤ０〜Ｄｎを組込んだ例えばＷ―ＣＤＭＡ信号からなる試験用の信号を送信する。試験装置でこの信号（被測定信号）を受信して、この被測定信号を復調して、元の各チャネルの各送信データＤ０〜Ｄｎに対応する各受信データＲ０〜Ｒｎを得る。各受信データＲ０〜Ｒｎと各送信データＤ０〜Ｄｎとを比較することによって、この各受信データＲ０〜Ｒｎに含まれるビット誤りを検出する。そして、例えば、１０００個等の基準データ数に対するビット誤り数の割合を「ビット誤り率」と定義している。
【００１５】
なお、特許文献１には、入力したＣＤＭＡ信号を復調して、復調後のデータ信号のビット誤り率（ＢＥＲ）をほほ実時間で測定する技術が開示されている。
【特許文献１】特開２００４−９６２６３号公報
【発明の開示】
【発明が解決しようとする課題】
【００１６】
しかしながら、Ｗ―ＣＤＭＡ信号の各フレームには、図１９に示すように、複数のスロット１０が組込まれ、各スロット１０内には、このスロット１０の長さ一杯に配置された送信データ１２と、スロット１０の先頭位置に送信データ１２に加算されたＳＣＨ１１とが設けられている。
【００１７】
すなわち、Ｗ―ＣＤＭＡ信号においては、１スロット１０内において時間経過に伴って信号構成が変化する。時間経過に伴って信号構成が変化することは、時間経過に伴ってこのＷ―ＣＤＭＡ信号の作成に関与する回路部材が変化する。各回路部材毎にビット誤り発生に対する影響度が異なると考えられる。
【００１８】
したがって、Ｗ―ＣＤＭＡ信号において、各フレーム内の各時間位置におけるビット誤り率やビット誤り数は一様でないと推定できる。しかしながら、上述した従来の「ビット誤り率」の測定手法においては、Ｗ―ＣＤＭＡ信号の全時間領域に亘って、ビット誤りは均一に生じると見なして、「ビット誤り率」を算出しているので、たとえ、フレーム内の特定時間位置にビット誤りが多発したとしても、この現象を確認できない。
【００１９】
したがって、大きな「ビット誤り率」が測定されたとしても、このビット誤りの発生原因の究明を効率的に実施できない問題がある。
【００２０】
本発明はこのような事情に鑑みてなされたものであり、ＣＤＭＡ信号の１フレームや１スロット内の各時間位置におけるビット誤り数やビット誤り率等のビット誤り値を求めることによって、たとえ、フレーム内やスロット内の特定時間位置にビット誤りが多発したとしても、この現象を確実に確認でき、大きなビット誤りの発生原因の究明を効率的に実施できるＣＤＭＡ信号解析装置を提供することを目的とする。
【課題を解決するための手段】
【００２１】
本発明は、入力された被測定信号である１フレームが複数スロットで構成されたＣＤＭＡ信号の各拡散ファクターの各チャネルにおける信号を解析するＣＤＭＡ信号解析装置に適用される。
【００２２】
そして、上記課題を解消するために、本発明のＣＤＭＡ信号解析装置においては、入力された被測定信号からフレーム同期がとれたチップデータを作成し、作成したチップデータをチャネル毎の拡散ファクターに対応する拡散コードで逆拡散して各チャネルのシンボルデータとして出力する入力処理部と、この入力処理部から順次出力される各チャネルのシンボルデータにおける１フレーム分の各チャネルのシンボルデータを順次記憶していく１フレームシンボルデータメモリと、この１フレームシンボルデータメモリから読出した１フレーム分の各チャネルのシンボルデータを用いて、各チャネルのシンボルデータのビット誤りを順次検出していくビット誤り検出部と、このビット誤り検出部から順次出力される１フレーム分のビット誤りを用いて、各チャネルのビット誤り値をスロット単位で順次算出していくビット誤り値算出部と、このビット誤り値算出部で算出された１フレーム分の時系列的なスロット単位のビット誤り値をビット誤り値特性として表示器にグラフィック表示するビット誤り値特性表示手段とを備えている。
【００２３】
このように構成されたＣＤＭＡ信号解析装置においては、各チャネルのシンボルデータのビット誤りがビット誤り検出部で順次検出されていき、各チャネルのビット誤り率やビット誤り数等のビット誤り値がスロット単位で順次算出されていく。そして、１フレーム分の時系列的なスロット単位のビット誤り値がビット誤り値特性として表示器にグラフィック表示される。
【００２４】
したがって、このＣＤＭＡ信号解析装置の操作者は、表示器にグラフィック表示されたビット誤り値特性を観察するのみで、１フレーム内の例えば１５個のスロットのなかで何番目のスロットにビット誤りが多発しているかが把握できる。
【００２５】
また、別の発明は、上述した発明のＣＤＭＡ信号解析装置におけるビット誤り値特性表示手段は、ビット誤り値特性を、ビット誤り値、スロットＮｏで示される時間、及びチャネルＮｏをそれぞれ直交する各軸に割り当てて、３次元表示する。
【００２６】
このように、各チャネルのビット誤り率特性を３次元表示することによって、このＣＤＭＡ信号解析装置の操作者はＣＤＭＡ信号全体のビット誤り発生状況を一瞥して把握できる。
【００２７】
また、別の発明は、上述した発明のＣＤＭＡ信号解析装置に対して、さらに、１フレームシンボルデータメモリから読出した１フレーム分の各チャネルのシンボルデータを用いて、各チャネルのコード・ドメインパワーをスロット単位で順次算出していくコード・ドメインパワー算出部と、このコード・ドメインパワー算出部で算出された１フレーム分の時系列的なスロット単位のコード・ドメインパワーをコード・ドメインパワー特性として、表示器に対してビット誤り値特性と同時にグラフィック表示するコード・ドメインパワー特性表示手段とを備えている。
【００２８】
このように構成されたＣＤＭＡ信号解析装置においては、表示器に、前記ビット誤り値特性と同時に、１フレーム分の時系列的なスロット単位のコード・ドメインパワーを示すコード・ドメインパワー特性が表示される。したがって、ビット誤り値の状況をコード・ドメインパワーの状況との対比で観察できる。たとえば、特定のスロットのコード・ドメインパワーが小さい場合は、該当スロットのビット誤り値の大きい場合が想定できる。
【００２９】
また、別の発明は、上述した発明のＣＤＭＡ信号解析装置において、ビット誤り値特性表示手段は、ビット誤り値特性を、ビット誤り値、スロットＮｏで示される時間、及びチャネルＮｏをそれぞれ直交する各軸に割り当てて、３次元表示するとともに、ビット誤り値が割り当てられた軸と同じ軸にコード・ドメインパワーを割り当てて表示する。
【００３０】
このような構成であると、各チャネルのビット誤り率特性に加えてコード・ドメインパワーが３次元表示されるので、ビット誤り値の状況をコード・ドメインパワーの状況との対比で視覚的に一瞥して把握できる。
【００３１】
また、別の発明は、上述した発明のＣＤＭＡ信号解析装置に対して、さらに、ビット誤り検出部でビット誤り検出されたシンボルデータのコンスタレーションのシンボル点の種別を、各フレームにおけるスロット単位で集計するビット誤りシンボル点集計手段と、このビット誤りシンボル点集計手段で集計されたビット誤りシンボル点の各種別の数を、ビット誤り値特性の各スロットのビット誤り値の内訳としてグラフィック表示するビット誤り種別表示手段とを備えている。
【００３２】
なお、コンスタレーションのシンボル点の種別は、コンスタレーションのＩＱ座標における前記シンボル点の座標原点からの距離の種別であることが望ましい。
【００３３】
このように構成されたＣＤＭＡ信号解析装置においては、ビット誤り検出されたシンボルデータのコンスタレーションのシンボル点の種別が各フレームを構成する各スロット単位で集計される。したがって、ビット誤り値特性の各スロットのビット誤り値が増加した場合においては、コンスタレーションのどの種別のシンボル点のビット誤り数が多いかを検証できる。その結果、ビット誤りの要因解析を基地局側の変調器の構成まで立ち入ることが可能である。
【００３４】
また、別の発明は、上述した発明のＣＤＭＡ信号解析装置において、ビット誤り値特性表示手段は、各フレームの各チャネルをビット誤り値の大きさで区分する色分け又は模様によって比較可能に表示するとともに、各フレームを時系列的に順次表示するようにしている。
【００３５】
さらに、別の発明においては、ビット誤り値特性表示手段は、比較可能に表示される各チャネルに対応するコード・ドメインパワーをそのチャネルに隣接して表示するようにしている。
【００３６】
さらに、別の発明においては、入力された被測定信号を構成する複数のフレームを表示するフレーム表示手段と、その複数のフレームのうち解析対象とする所望のフレームを指定するフレーム指定手段とを備えている。
【００３７】
このように、ビット誤り値特性とコード・ドメインパワーとの表示形態を工夫することにより、ビット誤り値特性をより簡単に的確に把握できる。
【００３８】
また、別の発明のＣＤＭＡ信号解析装置においては、入力された被測定信号からフレーム同期がとれたチップデータを作成し、作成したチップデータをチャネル毎の拡散ファクターに対応する拡散コードで逆拡散して各チャネルのシンボルデータとして出力する入力処理部と、この入力処理部から順次出力される各チャネルのシンボルデータにおける１フレーム分の各チャネルのシンボルデータを順次記憶していく１フレームシンボルデータメモリと、この１フレームシンボルデータメモリから読出した１フレーム分の各チャネルのシンボルデータを用いて、各チャネルのシンボルデータのビット誤りを順次検出していくビット誤り検出部と、このビット誤り検出部から順次出力される１フレーム分のビット誤りを用いて、各スロットを構成する複数シンボルデータにおけるビット誤り値をシンボルデータ単位で順次算出していくビット誤り値算出部と、このビット誤り値算出部で算出された１スロット分の時系列的なシンボルデータ単位のビット誤り値をビット誤り値特性として表示器にグラフィック表示するビット誤り値特性表示手段とを備えている。
【００３９】
このように構成されたＣＤＭＡ信号解析装置においては、表示器に、１スロット分の時系列的なシンボルデータ単位のビット誤り数やビット誤り率等のビット誤り値のビット誤り値特性がグラフィック表示される。したがって、このＣＤＭＡ信号解析装置の操作者は、表示器にグラフィック表示されたビット誤り値特性を観察するのみで、１スロット内の複数のシンボルデータのなかで何番目のシンボルデータにビット誤りが多発しているかが把握できる。
【００４０】
例えば、図１９に示す先頭位置に送信（チャネル）データに加算されたＳＣＨが設けられているスロットにおいては、１スロット内の先頭位置に存在する各シンボルデータにビット誤りが多発すると推定できる。
【００４１】
また、前述した各発明における各スロット単位のビット誤り値のビット誤り値特性の代わりに、各シンボルデータ単位のビット誤り値のビット誤り値特性を求めることによって、前述した各スロット単位のビット誤り値を採用した前述した各発明とほぼ同じ作用効果が得られる。
【００４２】
また、別の発明は、入力された被測定信号の１フレームを構成する複数スロットを表示するスロット表示手段と、その複数スロットのうち解析対象とする所望のスロットを指定するスロット指定手段とを備えている。
【００４３】
さらに、各スロット単位のビット誤り値を取り扱うＣＤＭＡ信号解析装置と各シンボルデータ単位のビット誤り値を取り扱うＣＤＭＡ信号解析装置と共通する発明として、１フレームシンボルデータメモリから読出した１フレーム分の各チャネルのシンボルデータを用いて、各チャネルの変調方式を判定する変調方式判定部と、この変調方式判定部で判定された各チャネルの変調方式を表示器に表示する変調方式表示手段とを備えている。
【００４４】
このような構成のＣＤＭＡ信号解析装置においては、前述したように、ＣＤＭＡ信号においては、チャネル毎に変調方式を設定可能である。変調方式毎にビット誤りの発生度合いが異なると想定できるので、測定されたチャネル毎のビット誤り値に大きな差がある場合、その差が変調方式の差に起因するものか否かを検証できる。
【００４５】
また、別の発明は、算出されたビット誤り率又はビット誤り数が予め設定された許容値を超えたとき、又はコード・ドメインパワーが予め設定された許容範囲を外れたとき、表示を停止して、その停止した表示を保持する表示制御部を備えている。
【００４６】
また、別の発明においては、ビット誤り値はビット誤り率であり、ビット誤り値算出部はビット誤り率を算出するビット誤り率算出部である。さらに、別の発明においては、ビット誤り値はビット誤り数であり、ビット誤り値算出部はビット誤り数を算出するビット誤り数算出部である。
【発明の効果】
【００４７】
本発明においては、ＣＤＭＡ信号の１フレームや１スロット内の各時間位置におけるビット誤り数やビット誤り率等のビット誤り値を求めて、表示器にビット誤り数特性やビット誤り率特性としてグラフィック表示している。
【００４８】
したがって、たとえ、フレーム内やスロット内の特定時間位置にビット誤りが多発したとしても、この現象を確実に確認でき、大きなビット誤りの発生原因の究明を効率的に実施できる。
【発明を実施するための最良の形態】
【００４９】
以下、本発明の一実施形態を図面を用いて説明する。
【００５０】
図１は本発明の一実施形態に係るＣＤＭＡ信号解析装置の概略構成を示すブロック図である。
【００５１】
この実施形態のＣＤＭＡ信号解析装置には、基地局から出力されたＨＳＤＰＡの通信方式を採用した被測定信号ａが入力される。このＨＳＤＰＡの通信方式を採用した被測定信号ａは、図１７で説明したように、各チャネルの送信データＤ０〜Ｄｎが各変調部１でＱＰＳＫ又は１６ＱＡＭの変調方式で変調され、各拡散部２において、それぞれ図１８で示した規格を有する各拡散コード８でコード拡散されて、加算器３で加算され、スクランブル回路４でスクランブル処理され、ＳＣＨ付加部５で各スロット１０の先頭位置にＳＣＨ１１が付加され、さらに、高周波回路６で高周波信号に変換されてアンテナ７から出力された一つの信号である。
【００５２】
そして、この被測定信号ａは前述したように図１９に示す伝送フォーマットを有する。さらに、この被測定信号ａは、ＣＤＭＡ信号解析装置でビット誤りを検出するために、各チャネルの送信データＤ０〜Ｄｎとして、それぞれ値が既知であるＰＮ基準データを採用している。
【００５３】
図１における、ＣＤＭＡ信号解析装置に入力された被測定信号ａは、入力処理部１４内の周波数変換部１５で局部発振部（ＬＯＯＳＣ）１６からの周波数信号に基づいて中間周波数に周波数変換された後、Ａ／Ｄ変換部１７でＡ／Ｄ変換される。Ａ／Ｄ変換されたデジタルの被測定信号ａはＩ、Ｑ分離部１８でＩ（同相）成分とＱ（直交）成分とに直交復調され、検波部１９へ入力される。検波部１９はＩ成分とＱ成分とをクロック抽出部２０で抽出したクロックでチップ単位のデータＩ、Ｑへ検波して次の周波数補正部２１へ送出する。
【００５４】
周波数補正部２１は、キャリア抽出部２２で抽出されたキャリアを用いて、先に中間周波数に変換した時点における周波数誤差を修正する。周波数誤差が修正されたチップ単位のデータＩ、Ｑは、次のスクランブル解除部２３で前述したデスクランブルコードを乗算することにより、スクランブルが解除され、フレーム同期がとれた新たなチップデータＩ、Ｑとして、逆拡散処理部２４へ入力される。
【００５５】
逆拡散処理部２４は、先ず、入力されたチップデータＩ、Ｑを、図１８で示した各拡散ファクター９が異なる各拡散コード８で逆拡散して、複数のシンボルデータを得る。次に、入力された複数のシンボルデータの拡散ファクター９及び拡散コード８から、各シンボルデータのチャネル（コード）を判定して、各送信データＤ０〜Ｄｎに対応するチャネル１〜チャネルｎの各チャネルの、Ｉ、Ｑ値で示される、各チャネル毎の新たなシンボルデータとして出力する。
【００５６】
入力処理部１４からから出力されたチャネル１〜チャネルｎの各チャネルのシンボルデータは１フレームシンボルデータメモリ２５へ入力される。この１フレームシンボルデータメモリ２５は、入力処理部１４から順次出力される各チャネルのシンボルデータにおける１フレーム分のチャネル１〜チャネルｎの各チャネルのシンボルデータを順次記憶していく。
【００５７】
１フレームシンボルデータメモリ２５から出力されたチャネル１〜チャネルｎの各チャネルのシンボルデータは、コード・ドメインパワー算出部２６、コンスタレーション算出部２７へ送出される。
【００５８】
コード・ドメインパワー算出部２６は、入力された１フレーム分の各チャネルのＩ、Ｑ値で示されるシンボルデータのパワーＰ（コード・ドメインパワー）をスロット単位で算出する。具体的には、あるコード（チャネル）の１つのシンボルデータのコード・ドメインパワーＰsは、図２（ｂ）に示すように、該当シンボルデータＩ（同相成分）、Ｑ（直交成分）をＩＱ座標上に表示した場合における座標原点からのベクトルである測定ベクトルＺの２乗値で示されるパワーｐの、チャネル１からチャネルｎまでの全部のチャネル（コード）のパワーｐ1〜ｐnの合計値（ｐ1＋ｐ2＋…＋ｐn）に対する比で示される。
【００５９】
ｐ＝Ｚ2＝Ｉ2＋Ｑ2
Ｐs＝１０・log［ｐ／（ｐ1＋ｐ2＋…＋ｐn）］    （ｄＢ）
そして、このようにして求めた各シンボルデータのコード・ドメインパワーＰsを図１９に示す１スロット１０を構成する全部のシンボルデータに亘って加算して、スロット単位のコード・ドメインパワーＰとする。
【００６０】
コード・ドメインパワー算出部２６は、算出した１フレーム分の各チャネルのスロット単位のコード・ドメインパワーＰをしきい値判定部２８へ送出する。しきい値判定部２８は、各チャネルのスロット単位のコード・ドメインパワーＰが、該当チャネルの信号有無を判定するためのしきい値Ｐｈ以上か否かを判定し、入力した各チャネルのスロット単位のコード・ドメインパワーＰを、判定結果とともに、測定データメモリ２９へ書込む。また、しきい値判定部２８は、しきい値Ｐｈ未満のコード・ドメインパワーＰは雑音であると判定して、それ以降、「信号無し」であるとして、各チャネルの信号有無の判定結果を変調方式判定部３０、ビット誤り検出部３４へ送出する。
【００６１】
また、コード・ドメインパワー算出部２６は、先に算出したシンボルデータ単位のコード・ドメインパワーＰsを測定データメモリ２９へ書込む。
【００６２】
コンスタレーション作成部２７は、入力された１フレーム分の各チャネルのＩ、Ｑ値で示されるシンボルデータを、図２（ａ）に示すように、ＩＱ座標で示されるコンスタレーション３１における×印で示す測定されたシンボル点３２で示す。なお、黒丸印は、測定されたシンボル点３２が本来あるべき理想シンボル点３３である。コンスタレーション作成部２７は、作成した各チャネルの各シンボルデータの測定されたシンボル点３２のコンスタレーション３１を変調方式判定部３０及びビット誤り検出部３４へ送出する。
【００６３】
変調方式判定部３０は、コンスタレーション作成部２７から入力されたｎ個の各チャネルのうち、しきい値判定部２８にて、信号有りと判定された各チャネルにおける各シンボルデータの測定されたコンスタレーション３１のシンボル点３２の分布から、信号有りと判定された各チャネルのＱＰＳＫ又は１６ＱＡＭの変調方式を判定して、判定結果を測定データメモリ２９へ書込む。
【００６４】
ビット誤り検出部３４には、前述したそれぞれ値が既知である各チャネルのＰＮ基準データを、各シンボルデータにおけるコンスタレーション３１の理想シンボル点３３として入力されている。ビット誤り検出部３４は、コンスタレーション作成部２７から入力されたｎ個の各チャネルのうち、しきい値判定部２８にて、信号有りと判定された各チャネルにおける各シンボルデータの測定されたコンスタレーション３１のシンボル点３２と該当シンボルデータの理想シンボル点３３とを比較して、ビット誤りを検出する。
【００６５】
具体的には、ビット誤り検出部３４は、図２（ａ）に示すように、測定されたシンボル点３２が理想シンボル点３３の修正可能範囲から大きく離れ、例えば隣の理想シンボル点３３の修正可能範囲に入った場合をビット誤りと判定して、ビット誤りをＢＥＲ算出部３６、及びビット誤り数算出部３７へ送出する。
【００６６】
さらに、ビット誤り検出部３４は、ビット誤り検出されたシンボルデータのコンスタレーション３１のシンボル点３２の種別を、ビット誤りに付して、ビット誤り数算出部３７へ送出する。コンスタレーションのシンボル点３２の種別とは、図９に示すように、コンスタレーション３８のＩＱ座標における前記シンボル点３２の座標原点からの距離の種別である。図９においては、１６ＱＡＭの変調方式において、シンボルデータのシンボル点の座標原点からの距離はほぼ３種類に分類できるので、３種類の種別３９ａ、３９ｂ、３９ｃとなる。
【００６７】
ＢＥＲ算出部３６は、ビット誤り検出部３４から順次出力される１フレーム分のシンボルデータのビット誤りを用いて、各チャネルのビット誤り率をスロット単位で算出する。具体的には、１フレームを構成する１番から１５番の各スロット１０に含まれるビット誤り数をスロット１０を構成するシンボルデータ数で除算して、％で表示して、スロット単位のビット誤り率とする。ＢＥＲ算出部３６は、算出した１フレーム分の１番から１５番のスロット単位のビット誤り率（ＢＥＲ）を測定データメモリ２９へ書込む。
【００６８】
さらに、ＢＥＲ算出部３６は、ビット誤り検出部３４から順次出力される１フレーム分のシンボルデータのビット誤りを用いて、各チャネルのビット誤り率（ＢＥＲ）をシンボルデータ単位で算出して、測定データメモリ２９へ書込む。
【００６９】
ビット誤り数算出部３７は、ビット誤り検出部３４から順次出力される１フレーム分のシンボルデータのビット誤りを用いて、各チャネルの各スロット１０を構成するシンボルデータのビット誤り数（ＢＥ数）をシンボルデータ単位で算出する。１フレームを構成するスロット１０の数は１５であるので、シンボルデータ単位の最大のビット誤り数は１５である。
【００７０】
さらに、ビット誤り数算出部３７は、１フレームを構成する１５個のスロットにおけるスロット単位のビット誤り数（ＢＥ数）を算出して、測定データメモリ２９へ書込む。
【００７１】
さらに、ビット誤り数算出部３７は、各ビット誤りに付されたシンボル点の種別３９ａ、３９ｂ、３９ｃのそれぞれの数をシンボルデータ単位で算出する。ビット誤り数算出部３７は、算出した各チャネルの各スロット１０を構成するシンボルデータのビット誤り数を、シンボル点の種別３９ａ、３９ｂ、３９ｃのそれぞれの数を付して測定データメモリ２９へ書込む。
【００７２】
測定データメモリ２９内には、図３に示すように、１〜ｎチャネルの各チャネルの１〜１５の各スロット１０のスロット単位のデータを一時記憶するスロット単位データメモリ４０と、１〜ｎチャネルの各チャネルの各スロット１０を構成する複数のシンボルデータのシンボルデータ単位のデータを一時記憶するシンボル単位データメモリ４１とが形成される。
【００７３】
スロット単位データメモリ４０内には、図４（ａ）に示すように、１〜ｎチャネルのｎ個のチャネルメモリ４３が設けられ、各チャネルメモリ４３には、拡散ファクターＳＦ、判定された変調方式、及び１５個のスロットメモリ４４が記憶されている。各スロットメモリ４４には、ＢＥＲ算出部３６で算出されたスロット単位のビット誤り率（ＢＥＲ）、ビット誤り数算出部３７で算出された該当スロット単位のビット誤り数（ＢＥ数）、コード・ドメインパワー算出部２８で算出されたコード・ドメインパワーＰが書込まれる。
【００７４】
一方、シンボル単位データメモリ４１内には、図４（ｂ）に示すように、１〜ｎのｎ個のチャネルメモリ４５が設けられ、各チャネルメモリ４５には、コンスタレーション、及び１スロット１０を構成する１番〜ｍ番のｍ個のシンボルメモリ４６が記憶されている。各シンボルメモリ４６内には、ＢＥＲ算出部３６で算出されたシンボルデータ単位のビット誤り率（ＢＥＲ）、ビット誤り数算出部３７で算出された該当シンボルデータのビット誤り数（ＢＥ数）、とシンボル点３２の各種別３９ａ、３９ｂ、３９ｃの数、該当シンボルデータのシンボルデータ単位のコード・ドメインパワーＰsが書込まれる。
【００７５】
図１の編集部４７は、操作部４８を介した操作者の指示に従って、表示器５０に、図１５に示す測定対象フレーム選択画面６１又は図１６に示す測定対象スロット選択画面６２を表示出力する。測定対象フレーム選択画面６１には、入力された被測定信号ａを構成する複数の測定対象のフレームと、操作者が、フレームＮｏ、チャネル、ビット誤り算出方法、表示方法を選択指定するための入力枠６１ａ、及び選択ボタン６１ｂが設けられている。
【００７６】
同様に、測定対象スロット選択画面６２には、入力された被測定信号ａの１フレームを構成する１５個の測定対象のスロットと、操作者が、スロットＮｏ、チャネル、ビット誤り算出方法、表示方法を選択指定するための入力枠６２ａ、及び選択ボタン６２ｂが設けられている。
【００７７】
編集部４７は、測定対象フレーム選択画面６１又は測定対象スロット選択画面６２を用いた操作者の指示に従って、測定データメモリ２９に記憶された１フレーム分のビット誤りに関するデータ（計算値）を編集して、表示制御部４９を介して表示器５０に表示出力する。
【００７８】
図５〜図１４は編集部４７で編集されて表示器５０に表示出力された、被測定信号ａのビット誤りに関する各種測定結果を示す図である。以下、各種測定結果の構成と特徴を順番に説明する。
【００７９】
図５においては、図４（ａ）のスロット単位データメモリ４０内の１〜ｎチャネルのｎ個のチャネルメモリ４３から読出した１〜ｎチャネルの各コード・ドメインパワーＰをチャネル単位でグラフィック表示したコード・ドメインパワー特性５１と、ｎ個のチャネルメモリ４３から読出した１〜ｎチャネルの各変調方式を示す変調方式一覧５２とが表示される。なお、コード・ドメインパワーＰがしきい値に満たないたチャネルの変調方式は判定されていない。
【００８０】
図６においては、図４（ａ）のスロット単位データメモリ４０内の例えば２チャネルのチャネルメモリ４３から読出した拡散コード（ＳＦ）、変調方式と、該当２チャネルのチャネルメモリ４３における各スロットメモリ４４から読出した１〜１５のスロット単位の各コード・ドメインパワーＰをグラフィック表示したコード・ドメインパワー特性５３と、同じく各スロットメモリ４４から読出した１〜１５のスロット単位の各ビット誤り率をグラフィック表示したビット誤り率特性５４とが表示される。
【００８１】
すなわち、図６においては、１フレーム分（１０ｍｓ）のコード・ドメインパワーＰとビット誤り率との経時変化がスロット１０単位（０，６６７ｍｓ）で表示される。このように、各スロット１０におけるビット誤り率をコード・ドメインパワーＰと対比しながら検証することができる。
【００８２】
なお、図６において、どのチャネルのコード・ドメインパワー特性５３、ビット誤り率特性５４を選択するかは、図５のコード・ドメインパワー特性５１における目標チャネルのコード・ドメインパワーＰをマウスでクリックすることにより実施することも可能である。
【００８３】
図７（ａ）においては、図６のスロット単位のコード・ドメインパワー特性５３とスロット単位のビット誤り率特性５４とを同一グラフ内に同一極性方向に表示されている。さらに、図７（ｂ）においては、図６のスロット単位のコード・ドメインパワー特性５３とスロット単位のビット誤り率特性５４とを同一グラフ内に反対極性方向に表示されている。
【００８４】
図８においては、図４（ｂ）のシンボル単位データメモリ４１内の例えば２チャネルのチャネルメモリ４５から読出した拡散コード（ＳＦ）、変調方式と、各シンボルメモリ４６から読出した１スロット分の１〜ｍのシンボルデータ単位のシンボルデータ単位のコード・ドメインパワーＰsからなるコード・ドメインパワー特性６３と、各ビット誤り数をグラフィック表示したビット誤り数特性５５とが表示される。
【００８５】
すなわち、図８においては、１スロット分（０．６６７ｍｓ）の各シンボルデータのビット誤り数の経時変化、及びパワーがシンボルデータ単位で表示される。したがって、前述したように、各スロット１０の先頭位置にはＳＣＨ１１が含まれるので、このＳＣＨ１１がビット誤りに与える影響を確認することが可能である。
【００８６】
図９においては、図８で説明したビット誤り数特性５５における各シンボルデータのビット誤り数の内訳を、図４（ｂ）のシンボル単位データメモリ４１の各シンボルメモリ４６から読出した１〜ｍのシンボルデータ単位のシンボル点３２の各種別３９ａ、３９ｂ、３９ｃの数で表示している。さらに、シンボル点３２の各種別３９ａ、３９ｂ、３９ｃを説明するコンスタレーション３８も表示されている。
【００８７】
すなわち、図９においては、１スロット１０を構成する各シンボルデータにおいて、ビット誤りが大きく発生しているコンスタレーション３８（３１）のシンボル点３２の種別３９ａ、３９ｂ、３９ｃが表示されるので、ビット誤りの要因解析を基地局側の変調器の構成まで立ち入ることが可能である。
【００８８】
図１０は、図９のビット誤り数特性５５における各シンボルデータのビット誤り数の内訳が、シンボル点の各種別３９ａ、３９ｂ、３９ｃの数で表示された状態において、操作部４８のマウス操作で、特定の種別３９ａを選択すると、ビット誤り数特性５５における各シンボルデータのビット誤り数が、選択された特定の種別３９ａの数に置き換る状態を示す。
【００８９】
このように、１スロット１０内における特定の種別３９ａのビット誤りの経時変化を一瞥して確認できる。
【００９０】
図１１に、図４（ａ）のスロット単位データメモリ４０内の１〜ｎの各チャネルのチャネルメモリ４３の各スロットメモリ４４から読出した１フレームを構成する１〜１５のスロット単位の各ビット誤り率（ＢＥＲ）を、ビット誤り率（ＢＥＲ）をｚ軸に、１〜１５のスロットＮｏで示される時間をｘ軸、１〜ｎのチャネルＮｏをｙ軸に割り当てた３次元特性５６を示す。
【００９１】
このように、各チャネルのビット誤り率を表示器５０に３次元特性５６として表示することによって、このＣＤＭＡ信号解析装置の操作者はＣＤＭＡ信号全体のビット誤り発生状況を一瞥して把握できる。
【００９２】
図１２に、図１１に示す３次元特性５６に対して、ｚ軸の（−）方向に各スロット単位のコード・ドメインパワーを、１〜１５のスロットＮｏで示される時間をｘ軸、１〜ｎのチャネルＮｏをｙ軸に割り当てして、拡大３次元特性としている。このように、スロット単位の各ビット誤り率（ＢＥＲ）とスロット単位のコード・ドメインパワーとを拡大３次元特性として表示器５０に表示しているので、ビット誤り率とパワーとの関係がより簡単に把握できる。
【００９３】
次に、図１３に示す実時間ビット誤り率特性５７について説明する。  
この実時間ビット誤り率特性５７を表示器５０に実時間で表示させるために、測定データメモリ２９のスロット単位データメモリ４０、シンボル単位データメモリ４１に一時記憶された１フレーム分（１０ｍｓ）のデータは、１フレーム時間（１０ｍｓ）内に、次の１フレーム分（１０ｍｓ）のデータに更新される。
【００９４】
そして、図４（ａ）のスロット単位データメモリ４０の１〜ｎの各チャネルメモリ４３における１〜１５のスロットメモリ４４のスロット単位のビット誤り率を集計（平均）して、集計結果をフレーム単位の現在ビット誤り率とする。このように求めた各チャネルの現在ビット誤り率を、実時間ビット誤り率特性５７の各チャネルのビット誤り率棒５８の先頭の現在時刻ｔ0に設定する。具体的には、ビット誤り率棒５８の上端の現在時刻ｔ0の部分を、図１３に示すように、現在ビット誤り率に対応した色（パターン）に設定する。
【００９５】
そして、１フレーム時間（１０ｍｓ）が経過して、次の１フレームの現在ビット誤り率が求まると、先に設定した現在ビット誤り率に対応した色（パターン）を時間が経過したのでビット誤り率棒５８の上端から下方へ移動させる。そして、新規の現在ビット誤り率に対応した色（パターン）をビット誤り率棒５８の上端に設定する。
【００９６】
このような実時間ビット誤り率特性５７においては、１〜ｎの各チャネルのフレーム単位のビット誤り率の過去所定時刻（ｔ-5）から現在時刻（ｔ0）までの経時変化を一瞥して把握できる。
【００９７】
図１４は、図１３に示す実時間ビット誤り率特性５７における各チャネルのビット誤り率棒５８に隣接して、各チャネルのコード・ドメインパワー棒５９が表示される。すなわち、図４（ａ）のスロット単位データメモリ４０の１〜ｎの各チャネルメモリ４３における１〜１５のスロットメモリ４４のスロット単位のコード・ドメインパワーＰを集計して、集計結果をフレーム単位の現在コード・ドメインパワーＰとする。
【００９８】
このように求めた各チャネルの現在コード・ドメインパワーＰを、各チャネルのコード・ドメインパワー棒５９の先頭の現在時刻ｔ0に設定する。具体的には、コード・ドメインパワー棒５９の上端の現在時刻ｔ0の部分を、図１４に示すように、現在コード・ドメインパワーＰに対応した色（パターン）に設定する。
【００９９】
そして、１フレーム時間（１０ｍｓ）が経過して、次の１フレームの現在コード・ドメインパワーＰが求まると、先に設定した現在コード・ドメインパワーＰに対応した色（パターン）を時間が経過したのでコード・ドメインパワー棒５９の上端から下方へ移動させる。そして、新規の現在コード・ドメインパワーＰに対応した色（パターン）をコード・ドメインパワー棒５９の上端に設定する。
【０１００】
なお、グラフの左端に、１〜ｎの全（トータル）チャネルのコード・ドメインパワー棒６０が表示される。
【０１０１】
このように、１〜ｎの各チャネルのフレーム単位のビット誤り率の過去所定時刻（ｔ-5）から現在時刻（ｔ0）までの経時変化を、フレーム単位のコード・ドメインパワーＰの経時変化を参照しながら、検証できる。
【０１０２】
なお、本発明は上述した実施形態に限定されるものではない。  
図１におけるＢＥＲ算出部３６で算出されたビット誤り率、又はビット誤り数算出部３７で算出されたビット誤り数が予め設定された許容値を超えたとき、又はコード・ドメインパワーが予め設定された許容範囲を外れたとき、入力処理部１４の周波数変換部１５に動作停止指令を送出して、入力処理部１４に対する被測定信号ａの入力を遮断することも可能である。
【図面の簡単な説明】
【０１０３】
【図１】本発明の一実施形態に係るＣＤＭＡ信号解析装置の概略構成を示すブロック図
【図２】同実施形態のＣＤＭＡ信号解析装置におけるビット誤り検出動作を示す模式図
【図３】同実施形態のＣＤＭＡ信号解析装置における測定データメモリの記憶内容を示す図
【図４】同じく測定データメモリの記憶内容を示す図
【図５】同実施形態のＣＤＭＡ信号解析装置における表示器に表示されたコード・ドメインパワーの測定結果を示す図
【図６】同表示器に表示されたスロット単位のコード・ドメインパワー特性及びビット誤り率特性を示す図
【図７】同表示器に異なるフォーマットで表示されたスロット単位のコード・ドメインパワー特性及びビット誤り率特性を示す図
【図８】同表示器に表示されたシンボルデータ単位のコード・ドメインパワー特性及びビット誤り数特性を示す図
【図９】同表示器に表示されたコンスタレーションのシンボル点の種別数が付されたビット誤り数特性を示す図
【図１０】同じく同表示器に表示されたコンスタレーションのシンボル点の種別数が付されたビット誤り数特性を示す図
【図１１】同表示器に表示されたビット誤り率の３次元特性を示す図
【図１２】同表示器に表示されたビット誤り率及びコード・ドメインパワー特性の３次元特性を示す図
【図１３】同表示器に表示された実時間ビット誤り率特性を示す図
【図１４】同じく同表示器に表示された実時間ビット誤り率特性を示す図
【図１５】同表示器に表示された測定対象フレームの選択画面を示す図
【図１６】同表示器に表示された測定対象スロットの選択画面を示す図
【図１７】一般的なＣＤＭＡにおける送信側の各送信データの多重化手法を示す図
【図１８】ツリー構造に設定された拡散ファクターと各チャネルにおける拡散コードとの関係を示す図
【図１９】一般的なＣＤＭＡ信号の伝送フォーマットを示す図
【符号の説明】
【０１０４】
１…変調部、２…拡散部、３…加算器、４…スクランブル回路、５…ＳＣＨ付加部、６…高周波回路、７…アンテナ、８…拡散コード、９…拡散ファクター、１０…スロット、１１…ＳＣＨ、１４…入力処理部、１５…周波数変換部、１７…Ａ／Ｄ変換部、１８…Ｉ、Ｑ分離部、２３…スクランブル解除部、２４…逆拡散処理部、２５…１フレームシンボルデータメモリ、２６…コード・ドメインパワー算出部、２７…コンスタレーション作成部、２９…測定データメモリ、３０…変調方式判定部、３１，３８…コンスタレーション、３２…シンボル点、３４…ビット誤り検出部、３６…ＢＥＲ算出部、３７…ビット誤り数算出部、４７…編集部、５０…表示器、５１，５３…コード・ドメインパワー特性、５４…ビット誤り率特性、５５…ビット誤り数特性、５６…３次元特性、５７…実時間ビット誤り率特性、６１…測定対象フレーム選択画面、６２…測定対象スロット選択画面
【図１】
2006311256.tif 000003
【図２】
2006311256.tif 000004
【図３】
2006311256.tif 000005
【図４】
2006311256.tif 000006
【図５】
2006311256.tif 000007
【図６】
2006311256.tif 000008
【図７】
2006311256.tif 000009
【図８】
2006311256.tif 000010
【図９】
2006311256.tif 000011
【図１０】
2006311256.tif 000012
【図１１】
2006311256.tif 000013
【図１２】
2006311256.tif 000014
【図１３】
2006311256.tif 000015
【図１４】
2006311256.tif 000016
【図１５】
2006311256.tif 000017
【図１６】
2006311256.tif 000018
【図１７】
2006311256.tif 000019
【図１８】
2006311256.tif 000020
【図１９】
2006311256.tif 000021